(57)【特許請求の範囲】
【請求項１】
複数の見出し語と当該各見出し語の説明情報とを対応付けて記憶する辞書データ記憶手段と、
この辞書データ記憶手段により記憶された任意の見出し語と当該見出し語に対応する説明情報とをユーザ操作に応じて表示部に表示させる辞書情報表示制御手段と、
この辞書情報表示制御手段により任意の見出し語と当該見出し語に対応する説明情報とが前記表示部に表示された状態で、ユーザ操作に応じた手書き入力を手書き入力部で受け付ける手書き入力受付手段と、
この手書き入力受付手段により受け付けられた手書き入力情報を、前記辞書情報表示制御手段により表示された見出し語と対応付けて見出しメモとして記憶する見出しメモ記憶手段と、
前記見出しメモをユーザ操作に応じて前記表示部に一覧表示させる見出しメモ表示制御手段と、
この見出しメモ表示制御手段により一覧表示された見出しメモの中からユーザ操作により選択された見出しメモに対応付けられた見出し語を前記見出しメモ記憶手段から読み出して一覧表示する見出し語一覧表示制御手段と、
この見出し語一覧表示制御手段により一覧表示された見出し語の中からユーザ操作により選択された見出し語とその説明情報とを前記辞書データ記憶手段から読み出して前記表示部に表示させる見出しメモ対応見出し語表示制御手段と、
前記見出し語一覧表示制御手段により見出し語が一覧表示されている状態で、新たな見出し語の登録の指示を受け付け、当該見出し語を前記選択された見出しメモにさらに対応付けて記憶する新規見出し語登録手段と、
前記辞書データ記憶手段に記憶された見出し語を含む複数のキーワードを記憶するキーワード記憶手段と、
前記手書き入力受付手段により受け付けられた手書き入力情報に前記キーワード記憶手段により記憶されたキーワードが含まれるか否かを判断するキーワード判断手段と、
文字を入力する文字入力手段とを備え、
前記見出しメモ記憶手段は、前記キーワード判断手段により前記手書き入力情報に前記キーワードが含まれると判断された場合には、当該手書き入力情報を、前記辞書情報表示制御手段により表示された見出し語および当該キーワードに対応付けて見出しメモとして記憶する対応キーワード見出しメモ記憶手段を有し、
前記見出しメモ表示制御手段は、前記文字入力手段により入力された文字と一致するキーワードに対応付けられて前記見出しメモ記憶手段により記憶された見出しメモを前記表示部に一覧表示させる、
ことを特徴とする電子辞書装置。
【発明の詳細な説明】
【技術分野】
【０００１】
本発明は、電子辞書装置に関する。
【背景技術】
【０００２】
従来から、紙の辞書の機能を電子装置に置き換えたものとして電子辞書装置が存在する。この電子辞書装置は、小型な筐体に多数の辞書データを収録して利用できるなど、多くの利点を備えているものの、紙の辞書と比較して使い勝手の点で不便なことがあった。
【０００３】
紙の辞書の場合、例えば調べたい見出し語とその説明情報が載っている頁を開いた際に、適切な語義や参考にしたい用例の記述箇所を一見して把握することが可能である。しかし電子辞書装置の場合、その表示領域の制約により、検索された見出し語とその説明情報の全体を一目で見渡すことができないため、適切な語義や参考にしたい用例の記述箇所を一見して把握するのが難しい。
【０００４】
このため従来の電子辞書装置において、見出し語に対応する語義一覧を表示画面の一部の領域に枠で囲んで表示させると共に、この語義一覧にて指定された語義に対応する説明情報を別領域に表示させることで、紙の辞書での斜め読みに相当する機能を実現したものがある（例えば、特許文献１参照。）。
【特許文献１】特開２００７−２４１７１１号公報
【発明の開示】
【発明が解決しようとする課題】
【０００５】
しかしながら従来の電子辞書装置においては、紙の辞書のように、所望の見出し語とその説明情報が載っているところに必要に応じて手書きで文字を書き込んで関連付けしたり、付箋を使用して当該付箋に書き込んだ内容から所望の見出し語が載っているところを見つけ出したりすることはできない。
【０００６】
本発明は、このような課題に鑑みなされたもので、手書きの文字を任意の見出し語に関連付けて記憶し、当該手書きの文字から関連する見出し語を容易に検索することが可能になる電子辞書装置を提供することを目的とする。
【課題を解決するための手段】
【０００７】
請求項１に記載の電子辞書装置は、複数の見出し語と当該各見出し語の説明情報とを対応付けて記憶する辞書データ記憶手段と、この辞書データ記憶手段により記憶された任意の見出し語と当該見出し語に対応する説明情報とをユーザ操作に応じて表示部に表示させる辞書情報表示制御手段と、この辞書情報表示制御手段により任意の見出し語と当該見出し語に対応する説明情報とが前記表示部に表示された状態で、ユーザ操作に応じた手書き入力を手書き入力部で受け付ける手書き入力受付手段と、この手書き入力受付手段により受け付けられた手書き入力情報を、前記辞書情報表示制御手段により表示された見出し語と対応付けて見出しメモとして記憶する見出しメモ記憶手段と、前記見出しメモをユーザ操作に応じて前記表示部に一覧表示させる見出しメモ表示制御手段と、この見出しメモ表示制御手段により一覧表示された見出しメモの中からユーザ操作により選択された見出しメモに対応付けられた見出し語を前記見出しメモ記憶手段から読み出して一覧表示する見出し語一覧表示制御手段と、この見出し語一覧表示制御手段により一覧表示された見出し語の中からユーザ操作により選択された見出し語とその説明情報とを前記辞書データ記憶手段から読み出して前記表示部に表示させる見出しメモ対応見出し語表示制御手段と、前記見出し語一覧表示制御手段により見出し語が一覧表示されている状態で、新たな見出し語の登録の指示を受け付け、当該見出し語を前記選択された見出しメモにさらに対応付けて記憶する新規見出し語登録手段と、前記辞書データ記憶手段に記憶された見出し語を含む複数のキーワードを記憶するキーワード記憶手段と、前記手書き入力受付手段により受け付けられた手書き入力情報に前記キーワード記憶手段により記憶されたキーワードが含まれるか否かを判断するキーワード判断手段と、文字を入力する文字入力手段とを備え、前記見出しメモ記憶手段は、前記キーワード判断手段により前記手書き入力情報に前記キーワードが含まれると判断された場合には、当該手書き入力情報を、前記辞書情報表示制御手段により表示された見出し語および当該キーワードに対応付けて見出しメモとして記憶する対応キーワード見出しメモ記憶手段を有し、前記見出しメモ表示制御手段は、前記文字入力手段により入力された文字と一致するキーワードに対応付けられて前記見出しメモ記憶手段により記憶された見出しメモを前記表示部に一覧表示させる、を備えたことを特徴としている。
【発明の効果】
【００１０】
本発明によれば、手書きの文字を任意の見出し語に関連付けて記憶し、当該手書きの文字から関連する見出し語を容易に検索することが可能になる電子辞書装置を提供できる。
【発明を実施するための最良の形態】
【００１１】
以下図面により本発明の実施の形態について説明する。
【００１２】
（第１実施形態）
図１は、本発明の実施形態に係る手書き入力機能を備えた電子辞書装置１０の外観構成を示す正面図である。
【００１３】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「訳／決定」キー１４ｃ、カーソルキー１４ｄ、スピーカ１５Ｌ，１５Ｒなどを備えた入力部１４、およびタッチパネル１６が備えられる。
【００１４】
このタッチパネル１６は、ユーザがペンや指等でタッチした位置を検出するタッチ位置検出装置と表示装置が一体となった構造であり、入力部１４の中央手前側において例えば２５６×６４ドットの液晶表示画面に透明タブレット１６ｔを重ねて構成される。このタッチパネル１６の入力領域は、必要に応じて、手書き文字を入力するための手書き文字入力部１６ａや各種機能のタッチ入力部１６ｂ、あるいは各入力部１６ａ，１６ｂが混在する領域に切り替えられる（図２参照）。
【００１５】
そして、前記タッチパネル１６が手書き文字入力部１６ａに切り替えられた領域での手書き入力に伴う軌跡はその液晶表示画面にエコーバックして表示される。
【００１６】
また蓋体ケース１２の表面には、そのほぼ全面を対象に例えば４８０×３２０ドットのバックライト付きの液晶表示部１７が設けられる。
【００１７】
図２は、前記手書き入力機能を備えた電子辞書装置１０の電子回路の構成を示すブロック図である。
【００１８】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００１９】
ＣＰＵ２１は、ＲＯＭ（フラッシュメモリ）２２内に予め記憶された装置制御プログラムに応じて、ＲＡＭ２３を作業用メモリとして回路各部の動作を制御する。
【００２０】
前記ＲＯＭ２２に記憶された装置制御プログラムは、入力部１４やタッチパネル１６からのユーザ操作に応じた入力信号に応じて起動される。
【００２１】
前記ＣＰＵ２１には、前記入力部１４、タッチパネル１６、ＲＯＭ２２、ＲＡＭ２３が接続される他に、表示部１７などが接続される。
【００２２】
前記ＲＯＭ２２には、当該電子辞書装置１０の全体の動作を司るシステムプログラムが記憶される他に、各種のデータ処理プログラム２４が記憶される。
【００２３】
前記各種のデータ処理プログラム２４としては、検索文字列の入力に応じた見出し語検索処理と指定の見出し語に対応した訳語・意味内容・例文（用例）などの各種説明情報の読み出し表示処理プログラム、前記見出し語に対応した説明情報の読み出し表示状態において前記タッチパネル１６における手書き文字の入力に応じて見出しメモデータ２７ａ，２７ｂ，…を作成し当該見出し語に対応付けて登録する見出しメモ登録処理プログラム、この見出しメモ登録処理により登録された見出しメモデータ２７ａ，２７ｂ，…から当該見出しメモに対応付けられた見出し語とその説明情報を表示する見出しメモ呼出処理プログラムなどが記憶される。
【００２４】
そして前記ＲＯＭ２２内には、各種の辞書データ２６ａ，２６ｂ，２６ｃ，…およびキーワードライブラリ２５が記憶される。
【００２５】
各種の辞書データ２６ａ，２６ｂ，２６ｃ，…としては、「国語辞書」「英和辞書」「和英辞書」「英英辞書」「英類語辞書」などと共に、「広○辞」、「漢○源」など、種類の異なる辞書データが予め、あるいは追加入力されて記憶される。
【００２６】
キーワードライブラリ２５には、例えば前記各辞書データ２６ａ，２６ｂ，２６ｃ，…に収録されている単語や熟語がキーワードデータとして記憶される。
【００２７】
また、ＲＡＭ２３には、前記見出しメモ登録処理により登録された見出しメモデータ２７ａ，２７ｂ，２７ｃ，…が記憶され、また前記各種のデータ処理（２４）に応じてＣＰＵ２１に入出力される種々のデータを必要に応じて記憶する作業領域２８が確保される。
【００２８】
前記各見出しメモデータ２７ａ，２７ｂ，２７ｃ，…には、当該各見出しメモデータ２７ａ，２７ｂ，２７ｃ，…としての手書き文字データの入力処理に際して表示部１７に表示されていた見出し語が、対応見出し語情報２７ａｍ，２７ｂｍ，２７ｃｍ，…として付加されて記憶される。
【００２９】
なお、後述する第３実施形態において、前記各見出しメモデータ２７ａ，２７ｂ，２７ｃ，…には、当該各見出しメモデータ２７ａ，２７ｂ，２７ｃ，…としての手書き文字データを文字認識し、この文字認識された文字データと前記キーワードライブラリ２５に記憶されたキーワードデータとの比較・一致により抽出されたキーワードデータが、対応キーワード情報２７ａｋ，２７ｂｋ，２７ｃｋ，…としてさらに付加されて記憶される。
【００３０】
前記液晶表示部１７は、前記見出し語検索処理に伴い辞書データ２６ａ，２６ｂ，２６ｃ，…から検索された見出し語の一覧表示１７ａをしたり、また前記見出しメモ呼出処理に伴いＲＡＭ２３から読み出された見出しメモデータ２７ａ，２７ｂ，２７ｃ，…の一覧表示１７ｂをしたりする。
【００３１】
次に、前記構成の手書き入力機能を備えた電子辞書装置１０の動作について説明する。
【００３２】
図３は、前記手書き入力機能を備えた電子辞書装置１０による第１実施形態の見出しメモ登録処理を示すフローチャートである。
【００３３】
図４は、前記手書き入力機能を備えた電子辞書装置１０による第１実施形態の見出しメモ登録処理に伴うユーザ操作に応じた表示動作を示す図である。
【００３４】
通常の見出し語検索処理により辞書データ２６ａ，２６ｂ，…から任意の見出し語（例えば「account」）が検索されて指定され「訳／決定」キー１４ｃが入力されると、説明情報読み出し表示処理により当該指定の見出し語「account」に対応する説明情報が読み出され、図４（Ａ）に示すような説明情報表示画面Ｇとして液晶表示部１７に表示される（ステップＳ１）。
【００３５】
この説明情報表示画面Ｇの表示状態において、タッチパネル１６には、各種機能タッチ入力部１６ｂとして、「見出しメモ」ボタン１６ｂａ、「戻る」ボタン１６ｂｂ、「決定」ボタン１６ｂｃ、「認識」ボタン１６ｂｄ、「前見出し」ボタン１６ｂ１、「次見出し」ボタン１６ｂ２、「ズーム」ボタン１６ｂ３、「熟語」ボタン１６ｂ４、「成句複合語」ボタン１６ｂ５、「用例解説」ボタン１６ｂ６、「単語帳登録」ボタン１６ｂ７、「暗記カード作成」ボタン１６ｂ８が表示される。
【００３６】
このようなユーザ指定の見出し語「account」に対応した説明情報表示画面Ｇの表示状態において、当該見出し語「account」に対応付けた見出しメモを作成し登録するべく、前記タッチパネル１６に表示された「見出しメモ」ボタン１６ｂａがペンＰによりタッチされて入力されると（ステップＳ２（ＹＥＳ））、当該見出し語「account」を対応見出し語情報２７ａｍとして持っている見出しメモデータ２７ａがＲＡＭ２３内に登録されているか否か判断される（ステップＳ３）。
【００３７】
ここで、前記見出し語「account」を対応見出し語情報２７ａｍとして持っている見出しメモデータ２７ａは登録されてないと判断された場合には（ステップＳ３（ＹＥＳ））、図４（Ｂ）に示すように、タッチパネル１６に手書き入力部１６ａが設定され、その右端の一部に「ペン」ボタン１６ｂｐおよび「消しゴム」ボタン１６ｂｅが表示される（ステップＳ４ａ）。「ペン」ボタン１６ｂｐをタッチすることで手書き入力部１６ａに手書き文字を入力することができ、「消しゴム」ボタン１６ｂｅをタッチすることで手書き入力部１６ａに入力した手書き文字を消去することができる。
【００３８】
なお、前記ステップＳ３において、前記見出し語「account」を対応見出し語情報２７ａｍとして持っている見出しメモデータ２７ａが登録されていると判断された場合には（ステップＳ３（ＮＯ））、タッチパネル１６に手書き入力部１６ａが設定されると共に、その手書き入力部１６ａに対して前記登録されている見出しメモデータ２７ａが表示される（ステップＳ４ｂ）。
【００３９】
そして、図４（Ｃ）に示すように、手書き入力部１６ａにてユーザ所望の手書き文字（例えば「テスト要注意」）が見出しメモ（２７ａ）として入力表示され、「訳／決定」キー１４ｃが入力されると（ステップＳ５（ＹＥＳ））、図４（Ｄ）に示すように、当該入力された手書き文字データ「テスト要注意」がそのまま見出しメモデータ２７ａとして前記見出し語「account」の対応見出し語情報２７ａｍと対応付けられてＲＡＭ２３に登録される（ステップＳ６）。
【００４０】
この際、前記見出し語「account」に対応した説明情報表示画面Ｇには、登録完了メッセージ「登録しました」ＲＭが表示され、当該見出し語「account」の対応見出し語情報２７ａｍを有する見出しメモデータ「テスト要注意」２７ａの登録が完了したことがユーザに報知される。
【００４１】
すると、一定時間（例えば１ＳＥＣ）の後、図４（Ｅ）に示すように、液晶表示部１７に元の説明情報表示画面Ｇを表示させた状態に戻る（ステップＳ７）。
【００４２】
このような一連の見出しメモ登録処理（ステップＳ１〜Ｓ７）を繰り返し行うことで、ユーザ所望の見出し語の対応見出し語情報２７ａｍ，２７ｂｍ，２７ｃｍ，…を対応付けた見出しメモデータ２７ａ，２７ｂ，２７ｃ，…が順次作成され、ＲＡＭ２３に登録される。
【００４３】
図５は、前記手書き入力機能を備えた電子辞書装置１０による第１実施形態の見出しメモ呼出処理を示すフローチャートである。
【００４４】
図６は、前記手書き入力機能を備えた電子辞書装置１０による第１実施形態の見出しメモ呼出処理に伴うユーザ操作に応じた表示動作を示す図である。
【００４５】
ユーザ操作に応じて、図６（Ａ）に示すように、学習機能のメニュー画面Ｇｍが表示部１７に表示され、当該メニュー画面Ｇｍ内の「見出しメモ」ＭＭをカーソルキー１４ｄの入力に応じて選択し反転表示Ｈさせた状態で、「訳／決定」キー１４ｃの入力により見出しメモ呼出モードに設定されると（ステップＡ１（ＹＥＳ））、図６（Ｂ）に示すように、ＲＡＭ２３内に登録済みの各見出しメモデータ２７ａ，２７ｂ，２７ｃ，…が読み出され、表示部１７に一覧表示される（ステップＡ２）。
【００４６】
この際、前記表示部１７に一覧表示された各見出しメモデータ２７ａ，２７ｂ，２７ｃ，…は、カーソルキー１４ｄの入力に応じて反転表示Ｈさせて選択することが可能であり、これにより選択されている見出しメモデータ２７ａに対応付けられた見出し語とその説明情報は、説明情報プレビュー画面Ｇｐにて表示される。
【００４７】
ここで、前記一覧表示された各見出しメモデータ２７ａ，２７ｂ，２７ｃ，…の中からユーザ所望の見出しメモデータ「テスト要注意」２７ａが選択され「訳／決定」キー１４ｃが入力されると（ステップＡ３（ＹＥＳ））、図６（Ｃ）に示すように、当該選択された見出しメモデータ「テスト要注意」２７ａに対応付けられた対応見出し語情報２７ａｍに従い、見出し語「account」に対応した説明情報が辞書データ２６ａ，２６ｂ，…から読み出され、説明情報表示画面Ｇとして表示部１７に全画面表示される（ステップＡ４）。
【００４８】
このような一連の見出しメモ呼出処理を行うことで、例えば付箋紙に相当する手書き文字の見出しメモデータ２７ａから、その内容に対応する見出し語とその説明情報を簡単に読み出して見ることができる。
【００４９】
したがって、前記構成の手書き入力機能を備えた電子辞書装置１０による第１実施形態の見出しメモ登録・呼出機能によれば、辞書検索された見出し語「account」とその説明情報が表示された状態で、手書き入力部１６ａにて手書き文字による見出しメモデータ「テスト要注意」２７ａを入力すると、当該見出しメモデータ２７ａが前記辞書検索された見出し語「account」と対応付けられて登録される。そして、登録された各見出しメモデータ２７ａ，２７ｂ，…の一覧から所望の見出しメモデータ「テスト要注意」２７ａを選択すると、当該見出しメモデータ２７ａに対応付けられた見出し語「account」とその説明情報が直ちに表示される。これにより、紙の辞書のように、所望の見出し語とその説明情報のところで、必要に応じて手書きで文字を書き込んだ見出しメモデータ２７ａを関連付けし、この見出しメモデータ２７ａを付箋のように使用して所望の見出し語を簡単且つ迅速に表示させることができる。
【００５０】
なお、この第１実施形態の見出しメモ登録・呼出機能では、１つの見出しメモデータ２７ａ，２７ｂ，２７ｃ，…にそれぞれ１つの対応見出し語情報２７ａｍ，２７ｂｍ，２７ｃｍ，…を対応付けて登録する構成とした。これに対し、次の第２実施形態の見出しメモ登録・呼出機能にて説明するように、各見出しメモデータ２７ａ，２７ｂ，２７ｃ，…に対して複数の対応見出し語情報２７ａｍ１〜２７ａｍｎ，２７ｂｍ１〜２７ｂｍｎ，２７ｃｍ１〜１７ｃｍｎ，…を対応付けて登録できる構成としてもよい。
【００５１】
（第２実施形態）
この第２実施形態では、まず見出しメモ登録処理において、前記第１実施形態と同様に、辞書検索された見出し語とその説明情報表示画面Ｇの表示状態で見出しメモデータ２７ａを作成し、この見出しメモデータ２７ａと当該見出し語の対応見出し語情報２７ａｍ１を対応付けて登録する。そして、この後の見出しメモ呼出処理において、ユーザ操作に応じて選択的に表示された見出しメモデータ２７ａに対し、新たに辞書検索された所望の見出し語の対応見出し語情報２７ａｍ２を追加で対応付けて登録する。これにより１つの見出しメモデータ２７ａに対して複数の対応見出し語情報２７ａｍ１，２７ａｍ２，…を登録する。
【００５２】
よって、この第２実施形態の見出しメモ登録処理は、前記第１実施形態の見出しメモ登録処理（図３参照）と同様である。
【００５３】
図７は、前記手書き入力機能を備えた電子辞書装置１０による第２実施形態の見出しメモ呼出処理を示すフローチャートである。
【００５４】
図８は、前記手書き入力機能を備えた電子辞書装置１０による第２実施形態の見出しメモ呼出処理に伴うユーザ操作に応じた表示動作を示す図である。
【００５５】
ユーザ操作に応じて、図８（Ａ）に示すように、学習機能のメニュー画面Ｇｍが表示部１７に表示され、当該メニュー画面Ｇｍ内の「見出しメモ」ＭＭをカーソルキー１４ｄの入力に応じて選択し反転表示Ｈさせた状態で、「訳／決定」キー１４ｃの入力により見出しメモ呼出モードに設定されると（ステップＢ１（ＹＥＳ））、図８（Ｂ）に示すように、ＲＡＭ２３内に登録済みの各見出しメモデータ２７ａ，２７ｂ，２７ｃ，…が読み出され、表示部１７に一覧表示される（ステップＢ２）。
【００５６】
この登録済みの各見出しメモデータ２７ａ，２７ｂ，２７ｃ，…の一覧表示状態において、カーソルキー１４ｄの入力に従いユーザ所望の見出しメモデータ「ＨＥＬＰの特別な用法」２７ａが選択されて反転表示Ｈされ、「訳／決定」キー１４ｃが入力されると（ステップＢ３（ＹＥＳ））、当該選択された見出しメモデータ２７ａに対応付けられて登録されている対応見出し語情報「help・er」２７ａｍ１〜「help3」２７ａｍ５が読み出され、「新規見出し語登録」の項目Ｒｍを付加した対応見出し語一覧画面Ｇｓとして表示部１７に表示される（ステップＢ４）。
【００５７】
このユーザ所望の見出しメモデータ２７ａの対応見出し語一覧画面Ｇｓにおいて、図８（Ｃ）に示すように、カーソルキー１４ｄの入力に従い１つの見出し語「help・er」２７ａｍ１が選択されて反転表示Ｈされ、「訳／決定」キー１４ｃが入力されると（ステップＢ５（ＹＥＳ））、図８（Ｄ）に示すように、当該選択された見出し語「help・er」２７ａｍ１に対応した説明情報が辞書データ２６ａ，２６ｂ，…から読み出され、説明情報表示画面Ｇとして表示部１７に全画面表示される（ステップＢ６）。
【００５８】
一方、前記ステップＢ３，Ｂ４での処理に従って、図８（Ｂ）で示したように表示された見出しメモデータ「ＨＥＬＰの特別な用法」２７ａの対応見出し語一覧画面Ｇｓにおいて、カーソルキー１４ｄの入力に従い「新規見出し語登録」の項目Ｒｍが選択されて反転表示Ｈされ、「訳／決定」キー１４ｃが入力されると（ステップＢ７（ＹＥＳ））、通常の辞書検索処理による見出し語検索画面が表示される（ステップＢ８）。
【００５９】
この見出し語検索画面に従って、前記見出しメモデータ「ＨＥＬＰの特別な用法」２７ａに追加で対応付けるべくユーザ所望の新たな見出し語が検索表示され、「訳／決定」キー１４ｃが入力されると（ステップＢ９（ＹＥＳ））、当該検索された見出し語とその説明情報が辞書データ２６ａ，２６ｂ，２６ｃ，…から読み出され、説明情報表示画面Ｇとして表示部１７に表示される（ステップＢ１０）。
【００６０】
この新たな見出し語の説明情報表示画面Ｇがユーザに確認されて「訳／決定」キー１４ｃが入力されると（ステップＢ１１（ＹＥＳ））、前記ステップＢ３にて選択され反転表示Ｈされていた見出しメモデータ「ＨＥＬＰの特別な用法」２７ａに対し、前記ステップＢ７〜Ｂ１１にて新たに検索決定された見出し語の対応見出し語情報が追加で対応付けられてＲＡＭ２３に登録される（ステップＢ１２）。
【００６１】
したがって、前記構成の手書き入力機能を備えた電子辞書装置１０による第２実施形態の見出しメモ登録・呼出機能によれば、見出しメモ呼出処理に伴い一覧表示された見出しメモデータ２７ａ，２７ｂ，…の中から所望の見出しメモデータ２７ａを選択した状態で、新たな見出し語を検索し表示させて「訳／決定」キー１４ｃを入力すると、当該新たな見出し語の対応見出し語情報２７ａｍｎが前記選択された見出しメモデータ２７ａに追加で対応付けられて登録される。これにより、１つの見出しメモデータ２７ａに複数の対応見出し語情報２７ａｍ１，２７ａｍ２，…を対応付けて登録することができ、紙の辞書のように、当該見出しメモデータ２７ａを付箋のように使用して所望の１つの見出し語を簡単且つ迅速に表示させることができるだけでなく、１つの見出しメモデータ２７ａ（付箋）から複数の見出し語を簡単且つ迅速に表示させることができるという更なる効果を奏する。
【００６２】
この第２実施形態では、その見出しメモ呼出処理において、ユーザ選択された見出しメモデータ２７ａに対し新たな対応見出し語情報２７ａｍｎを追加で登録する構成としたが、見出しメモ登録処理において、登録すべき見出しメモデータ２７ａの作成に伴い複数の見出し語を検索して決定することで、１つの見出しメモデータ２７ａに複数の対応見出し語情報２７ａｍ１，２７ａｍ２，…を対応付けて登録する構成としてもよい。
【００６３】
（第３実施形態）
この第３実施形態では、見出しメモデータ２７ａを手書き文字の入力により作成し、この見出しメモデータ２７ａに対応見出し語情報２７ａｍを対応付けて登録する際に、当該見出しメモデータ２７ａの手書き文字を文字認識して得られる単語や熟語に一致するキーワードをキーワードライブラリ２５から検索し、この検索されたキーワード（対応キーワード情報２７ａｋ）も共に当該見出しメモデータ２７ａに対応付けて登録する。
【００６４】
これにより、例えば多数の見出しメモデータ２７ａ，２７ｂ，…を登録した場合でも、キーワード（２７ａｋ）を文字入力して所望の見出しメモデータを迅速に見つけ出し、当該見出しメモデータを関連付けた見出し語とその説明情報を容易に見ることができるようにする。
【００６５】
図９は、前記手書き入力機能を備えた電子辞書装置１０による第３実施形態の見出しメモ登録処理を示すフローチャートである。
【００６６】
図１０は、前記手書き入力機能を備えた電子辞書装置１０による第３実施形態の見出しメモ登録処理に伴うユーザ操作に応じた表示動作を示す図である。
【００６７】
この第３実施形態の見出しメモ登録処理におけるステップＣ１〜Ｃ５→Ｃ７ｂ，Ｃ８に係る各処理は、前記第１実施形態におけるステップＳ１〜Ｓ７（図３参照）に係る処理と同様であるため、その詳細な説明を省略する。
【００６８】
すなわち、ステップＣ１〜Ｃ５→Ｃ７ｂ，Ｃ８に係る一連の処理によれば、例えば図１０（Ａ）に示すように辞書検索された見出し語「help・er」の説明情報表示画面Ｇが表示された状態で（ステップＣ１）、図１０（Ｂ）（Ｃ）に示すように「見出しメモ」のモードを設定し（ステップＣ２）、手書き入力部１６ａに対する手書き文字の入力により見出しメモデータ「ＨＥＬＰの特別な用法」２７ａを作成して決定すると（ステップＣ３〜Ｃ５）、図１０（Ｄ）に示すように当該見出しメモデータ「ＨＥＬＰの特別な用法」２７ａに前記見出し語「help・er」の対応見出し語情報２７ａｍが対応付けられてＲＡＭ２３に登録される（ステップＣ６→Ｃ７ａ／Ｃ７ｂ）。そして、図１０（Ｅ）に示すように元の見出し語「help・er」の説明情報表示画面Ｇの表示状態に戻る（ステップＣ８）。
【００６９】
この第３実施形態の見出しメモ登録処理では、図１０（Ｃ）（Ｄ）で示したように手書き入力部１６ａに対する手書き文字の入力により見出しメモデータ「ＨＥＬＰの特別な用法」２７ａを作成して「訳／決定」キー１４ｃを入力した際に（ステップＣ５（ＹＥＳ））、当該見出しメモデータ２７ａの手書き文字「ＨＥＬＰの特別な用法」が文字認識される。そして、この文字認識された手書き文字「ＨＥＬＰの特別な用法」（２７ａ）の中にキーワードライブラリ２５に記憶されているキーワードと一致する単語や熟語などが含まれているか否か判断される（ステップＣ６）。
【００７０】
ここで、前記文字認識された手書き文字「ＨＥＬＰの特別な用法」（２７ａ）の中にキーワードライブラリ２５のキーワード「ＨＥＬＰ」「特別」「用法」が含まれていると判断された場合には（ステップＣ６（ＹＥＳ））、当該手書き文字の見出しメモデータ２７ａに対して、当該キーワード「ＨＥＬＰ」「特別」「用法」および前記辞書検索された見出し語「help・er」の対応見出し語情報２７ａｍが対応付けられてＲＡＭ２３に登録される（ステップＣ７ａ）。
【００７１】
このような第３実施形態の見出しメモ登録処理（ステップＣ１〜Ｃ８）を行うことで、ユーザ所望の見出し語の対応見出し語情報２７ａｍを対応付けた手書き文字による見出しメモデータ２７ａを、当該手書き文字に含まれるキーワードの対応キーワード情報２７ａｋと共にＲＡＭ２３に登録することができる。
【００７２】
図１１は、前記手書き入力機能を備えた電子辞書装置１０による第３実施形態の見出しメモ呼出処理を示すフローチャートである。
【００７３】
図１２は、前記手書き入力機能を備えた電子辞書装置１０による第３実施形態の見出しメモ呼出処理に伴うユーザ操作に応じた表示動作を示す図である。
【００７４】
ユーザ操作に応じて、図１２（Ａ）に示すように、学習機能のメニュー画面Ｇｍが表示部１７に表示され、当該メニュー画面Ｇｍ内の「見出しメモ」ＭＭをカーソルキー１４ｄの入力に応じて選択し反転表示Ｈさせた状態で、「訳／決定」キー１４ｃの入力により見出しメモ呼出モードに設定されると（ステップＤ１（ＹＥＳ））、図１２（Ｂ）に示すように、所望の見出しメモデータをキーワードから検索するためのキーワード入力画面Ｇｋが表示部１７に表示される（ステップＤ２）。
【００７５】
このキーワード入力画面Ｇｋにおいて、例えば「用法」という単語を含む見出しメモデータを参照したい場合に、図１２（Ｃ）に示すように、文字入力キー１４ａの入力に応じてキーワード「用法」が入力されて表示され、「訳／決定」キー１４ｃが入力されると（ステップＤ３（ＹＥＳ））、図１２（Ｄ）に示すように、ＲＡＭ２３内に登録済みの各見出しメモデータの中から、前記入力されたキーワード「用法」の対応キーワード情報２７ａｋ〜２７ｄｋに対応付けられた「用法」の手書き文字を含む見出しメモデータ２７ａ〜２７ｄが読み出され、表示部１７に一覧表示される（ステップＤ４）。
【００７６】
このキーワード「用法」を含む各見出しメモデータ２７ａ〜２７ｄの一覧表示状態において、カーソルキー１４ｄの入力に従いユーザ所望の見出しメモデータ「ＨＥＬＰの特別な用法」２７ａが選択されて反転表示Ｈされ、「訳／決定」キー１４ｃが入力されると（ステップＤ５（ＹＥＳ））、当該選択された見出しメモデータ２７ａに対応付けられて登録されている対応見出し語情報「help・er」２７ａｍ１〜「help3」２７ａｍ５が読み出され、対応見出し語一覧画面Ｇｓとして表示部１７に表示される（ステップＤ６）。
【００７７】
このユーザ所望の見出しメモデータ２７ａの対応見出し語一覧画面Ｇｓにおいて、同図（Ｄ）に示すように、カーソルキー１４ｄの入力に従い１つの見出し語「help・er」２７ａｍ１が選択されて反転表示Ｈされ、「訳／決定」キー１４ｃが入力されると（ステップＤ７（ＹＥＳ））、図１２（Ｅ）に示すように、当該選択された見出し語「help・er」２７ａｍ１に対応した説明情報が辞書データ２６ａ，２６ｂ，…から読み出され、説明情報表示画面Ｇとして表示部１７に全画面表示される（ステップＤ８）。
【００７８】
このような第３実施形態の見出しメモ呼出処理を行うことで、例えば多数の付箋紙に相当する多数の手書き文字の見出しメモデータ２７ａ，２７ｂ，…の中から、所望のキーワードを含んだ見出しメモデータ２７ａを迅速に見つけ出し、その内容に対応する見出し語とその説明情報を簡単に読み出して見ることができる。
【００７９】
したがって、前記構成の手書き入力機能を備えた電子辞書装置１０による第３実施形態の見出しメモ登録・呼出機能によれば、辞書検索された見出し語「help・er」とその説明情報が表示された状態で、手書き入力部１６ａにて手書き文字による見出しメモデータ「ＨＥＬＰの特別な用法」２７ａを入力すると、当該見出しメモデータ２７ａがその手書き文字から抽出されたキーワード「ＨＥＬＰ」「特別」「用法」と共に前記辞書検索された見出し語「help・er」と対応付けられて登録される。そして、キーワード「用法」を文字入力することで当該「用法」の文字を含む登録済みの見出しメモデータ２７ａ〜２７ｄを迅速に一覧表示させ、所望の見出しメモデータ「ＨＥＬＰの特別な用法」２７ａを選択すると、当該見出しメモデータ２７ａに対応付けられた見出し語「help・er」とその説明情報が直ちに表示される。これにより、例えば多数の付箋紙に相当する見出しメモデータ２７ａ，２７ｂ，…を登録した場合でも、キーワード（２７ａｋ）を文字入力して所望の見出しメモデータを迅速に見つけ出し、当該見出しメモデータを関連付けた見出し語とその説明情報を容易に表示させることができる。
【００８０】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８１】
【図１】本発明の実施形態に係る手書き入力機能を備えた電子辞書装置１０の外観構成を示す正面図。
【図２】前記手書き入力機能を備えた電子辞書装置１０の電子回路の構成を示すブロック図。
【図３】前記手書き入力機能を備えた電子辞書装置１０による第１実施形態の見出しメモ登録処理を示すフローチャート。
【図４】前記手書き入力機能を備えた電子辞書装置１０による第１実施形態の見出しメモ登録処理に伴うユーザ操作に応じた表示動作を示す図。
【図５】前記手書き入力機能を備えた電子辞書装置１０による第１実施形態の見出しメモ呼出処理を示すフローチャート。
【図６】前記手書き入力機能を備えた電子辞書装置１０による第１実施形態の見出しメモ呼出処理に伴うユーザ操作に応じた表示動作を示す図。
【図７】前記手書き入力機能を備えた電子辞書装置１０による第２実施形態の見出しメモ呼出処理を示すフローチャート。
【図８】前記手書き入力機能を備えた電子辞書装置１０による第２実施形態の見出しメモ呼出処理に伴うユーザ操作に応じた表示動作を示す図。
【図９】前記手書き入力機能を備えた電子辞書装置１０による第３実施形態の見出しメモ登録処理を示すフローチャート。
【図１０】前記手書き入力機能を備えた電子辞書装置１０による第３実施形態の見出しメモ登録処理に伴うユーザ操作に応じた表示動作を示す図。
【図１１】前記手書き入力機能を備えた電子辞書装置１０による第３実施形態の見出しメモ呼出処理を示すフローチャート。
【図１２】前記手書き入力機能を備えた電子辞書装置１０による第３実施形態の見出しメモ呼出処理に伴うユーザ操作に応じた表示動作を示す図。
【符号の説明】
【００８２】
１０  …手書き入力機能を備えた電子辞書装置
１１  …本体ケース
１２  …蓋体ケース
１３  …ヒンジ部
１４  …入力部
１４ａ…文字入力キー
１４ｂ…辞書指定キー
１４ｃ…「訳／決定」キー
１４ｄ…カーソルキー
１５Ｌ，１５Ｒ…スピーカ
１６  …タッチパネル
１６ｔ…透明タブレット
１６ａ…手書き文字入力部
１６ｂ…各種機能のタッチ入力部
１６ｂａ…「見出しメモ」ボタン
１６ｂｂ…「戻る」ボタン
１６ｂｃ…「決定」ボタン
１６ｂｄ…「認識」ボタン
１６ｂ１…「前見出し」ボタン
１６ｂ２…「次見出し」ボタン
１６ｂ３…「ズーム」ボタン
１６ｂ４…「熟語」ボタン
１６ｂ５…「成句複合語」ボタン
１６ｂ６…「用例解説」ボタン
１６ｂ７…「単語帳登録」ボタン
１６ｂ８…「暗記カード作成」ボタン
１６ｂｐ…「ペン」ボタン
１６ｂｅ…「消しゴム」ボタン
１７  …液晶表示部
２１  …ＣＰＵ
２２  …ＲＯＭ
２３  …ＲＡＭ
２４  …各種データ処理プログラム
２５  …キーワードライブラリ
２６ａ，２６ｂ，...…辞書データ
２７ａ，２７ｂ，...…見出しメモデータ
２７ａｍ…対応見出し語情報
２７ａｋ…対応キーワード情報
２８  …作業領域
Ｇ    …説明情報表示画面
Ｇｍ  …学習機能のメニュー画面
Ｇｐ  …説明情報プレビュー画面
Ｇｓ  …対応見出し語一覧画面
Ｇｋ  …キーワード入力画面
Ｐ    …ペン
ＲＭ  …登録完了メッセージ
ＭＭ  …「見出しメモ」設定の項目
Ｒｍ  …「新規見出し語登録」用の項目
Ｈ    …反転表示
【図１】
0004636078.tif 000002
【図２】
0004636078.tif 000003
【図３】
0004636078.tif 000004
【図４】
0004636078.tif 000005
【図５】
0004636078.tif 000006
【図６】
0004636078.tif 000007
【図７】
0004636078.tif 000008
【図８】
0004636078.tif 000009
【図９】
0004636078.tif 000010
【図１０】
0004636078.tif 000011
【図１１】
0004636078.tif 000012
【図１２】
0004636078.tif 000013